(57)【要約】【課題】物品の入出庫時にオペレータが実行する作業の省力化を実現することが可能な構成とされた入出庫管理システムを提供する。【解決手段】本発明にかかる入出庫管理システムは、保管倉庫に入出庫される物品に付与された品種コードをグループ化したうえでグループ毎の見出しコードを付与しており、見出しコードの指定時には当該見出しコードが付与されたグループ内の品種コード全てが選択可能に一括して表示されることを特徴とする。なお、各グループに含まれた品種コードそれぞれに対しては優先順位が予め設定されていることが好ましく、また、この際における品種コードそれぞれの優先順位は入出庫される頻度の多寡に応じて定められていることが好ましい。【選択図】　図２
2004091146.tif 000002
【特許請求の範囲】
【請求項１】
保管倉庫に入出庫される物品に付与された品種コードをグループ化したうえでグループ毎の見出しコードを付与し、見出しコードの指定時には当該見出しコードが付与されたグループ内の品種コード全てが選択可能に一括して表示されることを特徴とする入出庫管理システム。
【請求項２】
各グループに含まれる品種コードのそれぞれには、優先順位が予め設定されていることを特徴とする請求項１記載の入出庫管理システム。
【請求項３】
品種コードそれぞれの優先順位は、入出庫される頻度の多寡に応じて定められていることを特徴とする請求項２記載の入出庫管理システム。
【発明の詳細な説明】
【０００１】
【発明の属する技術分野】
本発明は入出庫管理システムにかかり、特には、入出庫される物品を指定する必要がある入出庫作業の省力化を実現する技術に関する。
【０００２】
【従来の技術】
従来から、各種の物品を保管する保管倉庫、例えば自動倉庫では、物品のそれぞれに品種コードを付与し、図１で基本構成を示すようなパーソナルコンピュータ（以下、パソコンという）１を利用したうえ、品種コードに基づいて物品の入出庫を管理するシステムが採用されている。なお、ここでのパソコン１はＣＰＵ２及びメモリ３から構成されており、キーボード４及びモニタ５が接続されたものとなっている。
【０００３】
すなわち、例えば、果物類の保管倉庫にあっては、図４に示すようなデータテーブル、つまり、入出庫される物品の品名としてのミカンと、これに付与された品種コードとの個別特定的な対応関係を示すデータテーブルを用意し、このデータテーブルをパソコン１のメモリ３に格納することが行われる。そして、入出庫作業においては、ミカンのそれぞれに付与された品種コード、例えば、静岡県産のミカンでは「Ａ０００１１」、また、愛媛県産のミカンでは「Ａ０００１２」というような品種コードをオペレータがキーボード４を操作してＣＰＵ２へと入力し、入出庫されるミカンの品名を指定することが最初に実行される。
【０００４】
引き続き、パソコン１のＣＰＵ２では、入力された品種コードがメモリ３内に実在しているか否かが検索され、入力された品種コードの実在を確認したＣＰＵ２は、入出庫管理に必要となるデータ、例えば、数量などの指定事項を入力するための空欄などが設けられた画面（図示省略）をモニタ５上に表示させる。そこで、オペレータは必要なデータを入力することとなり、以下、入出庫に伴う作業が継続して実行される。なお、ここでは、キーボード４を操作して品種コードを入力するとしているが、モニタ５の画面がタッチパネルである場合には、オペレータの英数字ボタンのタッチ操作によって品種コードが入力されることとなる。
【０００５】
【発明が解決しようとする課題】
ところで、前記従来の入出庫管理システムにおける物品の入出庫、例えば、ミカンの入出庫作業に際しては、品種コードをオペレータがキーボード４からＣＰＵ２へと入力し、品名としてのミカンを指定することが実行される。しかしながら、ここでの品種コードは、５〜１０桁というような多数個の文字、例えば、アルファベットや数字などの組み合わせによって作成されている場合がほとんどである。
【０００６】
従って、入出庫される物品を指定するオペレータは、その度毎に多数個の文字をキー操作して入力しなければならず、大変に煩わしい作業を実行する必要があることとなる。また、オペレータがキー操作を誤ってしまうこともあり、このような場合には、キー操作の必要回数がさらに増える結果として物品の指定を必要とする入出庫作業に手間取ってしまうのが実状である。
【０００７】
本発明はこのような不都合に鑑みて創案されたものであり、物品の入出庫時にオペレータが実行する入出庫作業の省力化を実現することが可能な入出庫管理システムの提供を目的としている。
【０００８】
【課題を解決するための手段】
請求項１の発明にかかる入出庫管理システムは、保管倉庫に入出庫される物品に付与された品種コードをグループ化したうえでグループ毎の見出しコードを付与し、見出しコードの指定時には当該見出しコードが付与されたグループ内の品種コード全てが選択可能に一括して表示されることを特徴とする。
【０００９】
この入出庫管理システムであれば、見出しコードを指定すると、グループ化された品種コードの全てが一括的に表示されるので、表示された品種コードのうちから入出庫しようとする物品の品種コードを選択するだけのことによって物品を指定することが可能となる。従って、入出庫される物品に付与された品種コードをオペレータがわざわざ入力する必要はなくなり、その結果として物品の指定を必要とする入出庫作業が省力化される。なお、この際における見出しコードは、少数個の文字、可能ならば、１文字のみで作成されていることが好ましい。
【００１０】
請求項２の発明にかかる入出庫管理システムは請求項１に記載したものであって、各グループに含まれる品種コードそれぞれの優先順位が予め設定されていることを特徴とする。この構成であれば、見出しコードを指定するのに伴って一括的に表示されるグループ内の品種コードそれぞれが優先順位を有しているので、入出庫される物品の品種コードをオペレータが速やかに選択し得ることとなる。
【００１１】
請求項３の発明にかかる入出庫管理システムは請求項２に記載したものであって、品種コードそれぞれの優先順位は、入出庫される頻度の多寡に応じて定められていることを特徴とする。このような構成であれば、入出庫される頻度の多い物品に付与された品種コードの方が入出庫頻度の少ない物品に付与された品種コードよりも優先順位が高くなるので、オペレータが入出庫頻度の多い物品の品種コードを選択しやすくなる。
【００１２】
【発明の実施の形態】
以下、本発明の実施の形態を図面に基づいて説明する。
図１は本実施の形態にかかる入出庫管理システムを実現するパソコンの基本構成を示す説明図、図２はこのパソコンを構成しているメモリに格納されたデータテーブルを示す説明図であり、図３（ａ），（ｂ）はパソコンのモニタ上に表示される画面を示す説明図である。なお、本実施の形態にかかるパソコンの基本構成そのものは従来の形態と異ならないので、従来の形態と同一の図１を参照しながら説明する。
【００１３】
本実施の形態にかかる入出庫管理システムは品種コードが付与された物品の保管倉庫に対する入出庫を管理するためのシステムであり、従来の形態と同様、この入出庫管理システムは図１で基本構成を示すようなパソコン１、つまり、ＣＰＵ２及びメモリ３から構成され、かつ、キーボード４及びモニタ５が接続されたパソコン１を利用して実現される。しかしながら、本実施の形態にかかる入出庫管理システムでは、従来の形態と異なり、保管倉庫に入出庫される物品の品名それぞれに付与された品種コードを前以て分類したうえでグループ化し、複数の品種コードからなるグループ毎に見出しコードを付与することが実行されている。
【００１４】
例えば、保管倉庫に入出庫される物品が果物類である場合、図２で示すようなデータテーブル、つまり、入出庫される物品の品名としてのミカンやリンゴと、これらのそれぞれに付与された品種コードとの個別特定的な対応関係を示し、かつ、ミカンやリンゴというように分類してグループ化された複数の品種コードを含んでなるグループ毎に見出しコードを付与して作成されたデータテーブルが予め用意される。
【００１５】
すなわち、この際には、静岡県産のミカンに「Ａ０００１１」、愛媛県産のミカンに「Ａ０００１２」という品種コードが付与され、青森県産のリンゴには「Ｂ０００１１」という品種コードが付与されると共に、ミカンのグループには「Ａ」という見出しコードを付与し、リンゴのグループには「Ｂ」という見出しコードを付与したデータテーブルが用意される。そして、用意されたデータテーブルは、パソコン１のメモリ３に格納されている。なお、この際における見出しコードは、「Ａ」や「Ｂ」というような１文字のみで作成されていることが好ましいが、２文字以上で少数個の文字から作成されていてもよい。
【００１６】
一方、パソコン１が備えているＣＰＵ２は、キーボード４を介したうえでオペレータがグループ毎の見出しコードを指定すると、メモリ３に格納されたデータテーブルに基づき、指定された見出しコードが付与されたグループ内の品種コード全てを選択可能として一括的にモニタ５上に表示する。そして、このＣＰＵ２は、モニタ５上に表示された品種コードのうちからオペレータが選択した品種コードの付与された物品の品名に関わるデータをモニタ５上に表示する機能をも有している。
【００１７】
入出庫作業を開始する際のモニタ５上には、図３（ａ）で示すような入出庫作業時画面がＣＰＵ２からの指示に従って表示されている。なお、この図３（ａ）中の符号１１は物品が入出庫される保管場所であるステーションを示す表示、１２は入庫作業を指示する表示、１３は出庫作業を指示する表示、１４は品種コードがグループ化されてなるグループ毎に付与された見出しコードを示す表示であり、１５は入出庫される物品の品名が表示される空欄表示、１６は物品の数量が入力される空欄表示である。
【００１８】
そこで、まず、入出庫作業を行うオペレータは、モニタ５上に表示された入出庫作業時画面のうちから物品を入出庫するステーション１１を選択して入力し、入庫作業１２または出庫作業１３のいずれかを選択したうえで入力する。引き続き、オペレータは入出庫される物品の品名を含んだグループに付与されている見出しコード、例えば、入出庫される物品の品名が静岡県産のミカンである場合には、このミカンを含むグループに付与されている「Ａ」という見出しコードを、モニタ５上に表示された見出しコード１４のうちから選択したうえ、キーボード４を操作してＣＰＵ２へと入力する。
【００１９】
すると、見出しコード「Ａ」が入力されたＣＰＵ２は、メモリ３に格納されているデータテーブルに基づき、モニタ５上の表示画面を図３（ａ）の入出庫作業時画面から図３（ｂ）の品種コード選択画面、つまり、見出しコード「Ａ」が付与されたグループに含まれる品種コードの全てを一括的に表示する品種コード選択画面へと切り換える。従って、オペレータは、品種コード選択画面に表示された見出しコード「Ａ」のグループに含まれている品種コードのうちから入出庫しようとする物品の品種コード、例えば、静岡県産のミカンである場合には、「Ａ０００１１」の品種コードを選択して入力することとなる。
【００２０】
より具体的には、図３（ｂ）の画面が表示されると、直接画面上の品名である「Ａ０００１１　ミカン（静岡県）」，「Ａ０００１２　ミカン（愛媛県）」・・・の何れかをタッチする。ここでは「Ａ０００１１　ミカン（静岡県）」をタッチしたとする。これにより、品名「Ａ０００１１　ミカン（静岡県）　」の欄の画面が反転する。なお、品名欄の中に候補がない場合は、場面上の上スクロール矢印１７もしくは下スクロール矢印１８をタッチしてページを切り換える。希望の品名「Ａ０００１１　ミカン（静岡県）」の欄の画面が反転したら、これを決定するための選択１９をタッチする。これにより、静岡県産のミカンが入出庫されることになる。例えば、自動倉庫では、この選択１９がタッチされることで、予めデータ管理している情報の中から静岡県産のミカンが収納された棚の情報を呼び出し、この棚に向けてスタッカクレーンを移動させる制御を行なうものである。
【００２１】
そして、入出庫される静岡県産のミカンに付与された品種コードである「Ａ０００１１」が選択したうえで入力されると、ＣＰＵ２からの指示に従ってモニタ５上の表示画面は品種コード選択画面から入出庫作業時画面へと切り換わることになり、図示省略しているが、切り換わった入出庫作業時画面における品名の空欄表示１５内には、「ミカン（静岡県）」というような表示がされている。その後、オペレータは入出庫管理に必要となる他のデータ、例えば、数量などの指定事項を入力することとなり、以下、入出庫に伴う作業が継続して実行される。
【００２２】
本実施の形態にかかる構成であれば、見出しコードを指定すると、グループ化された品種コードの全てが一括的に表示され、かつ、表示された品種コードのうちから入出庫しようとする物品の品名に対応する品種コードを選択し、決定することによって物品が指定される。そこで、見出しコードの指定、品種コードの選択、そして決定と、最小３回だけキー操作（タッチ操作）することによって物品を指定することが可能となり、従来の形態のように、多数個の文字からなる品種コードをわざわざオペレータが入力して入出庫される物品を指定する必要はなくなる。なお、見出しコードの指定及び品種コードの選択は、キー操作のものを採用しても良いし、タッチ操作のものを採用しても良い。
【００２３】
ところで、本実施の形態にかかる入出庫管理システムでは、保管倉庫に入出庫される物品の品名それぞれに付与された品種コードを前以て分類したうえでグループ化し、複数の品種コードからなるグループ毎に見出しコードを付与しているが、図２中に付記しているように、各グループに含まれた品種コードそれぞれに対して予め優先順位を設定しておいてもよい。このようにしておけば、見出しコードの指定に伴って一括的に表示されるグループ内の品種コードそれぞれが優先順位を有しているので、入出庫される物品の品種コードをオペレータが選択しやすくなる。
【００２４】
また、この際における優先順位は、入出庫される頻度の多寡に応じて定められていることが好ましい。このような構成であれば、入出庫される頻度の多い物品に付与された品種コードの方が入出庫頻度の少ない物品に付与された品種コードよりも優先順位が高くなるので、オペレータが入出庫頻度の多い物品の品種コードを選択しやすいこととなる。なお、本実施の形態にかかる入出庫管理システムでは、保管倉庫が果物類の保管倉庫であり、入出庫される物品がミカンであるとしているが、本発明の適用範囲がこれらのみに限定されることはなく、一般的な物品の入出庫作業にあっても本発明の適用が可能となることは勿論である。
【００２５】
【発明の効果】
請求項１の発明にかかる入出庫管理システムによれば、見出しコードを指定することによってグループ化された品種コードの全てが表示されるので、一括的に表示された品種コードのうちから入出庫する物品の品種コードを選択するだけで物品を指定することが可能となる。従って、入出庫される物品に付与された品種コードをオペレータがわざわざ入力する必要はなくなり、物品の入出庫時にオペレータが実行する作業が省力化できるという効果が得られる。
【００２６】
請求項２の発明にかかる入出庫管理システムであれば、見出しコードの指定に伴って一括的に表示されるグループ内の品種コードそれぞれが優先順位を有しているので、入出庫される物品の品種コードをオペレータが選択しやすくなるという利点が確保される。
【００２７】
請求項３の発明にかかる入出庫管理システムでは、入出庫される頻度の多い物品に付与された品種コードの方が入出庫頻度の少ない物品に付与された品種コードよりも優先順位が高くなっているので、オペレータが入出庫頻度の多い物品の品種コードを選択しやすいことになるという効果が得られる。
【図面の簡単な説明】
【図１】本実施の形態にかかる入出庫管理システムを実現するパソコンの基本構成を示す説明図である。
【図２】本実施の形態にかかるパソコンを構成するメモリに格納されたデータテーブルを示す説明図である。
【図３】本実施の形態にかかるパソコンのモニタ上に表示される画面を示す説明図である。
【図４】従来の形態にかかるパソコンを構成するメモリに格納されたデータテーブルを示す説明図である。
【符号の説明】
１　　パソコン
２　　ＣＰＵ
３　　メモリ
４　　キーボード
５　　モニタ
【図１】
2004091146.tif 000003
【図２】
2004091146.tif 000004
【図３】
2004091146.tif 000005
【図４】
2004091146.tif 000006